(57)【要約】【課題】使い勝手の良い使い捨て容器を提供する。【解決手段】蓋体21を開けず内容物を上から順に取り出す場合は、容器本体２の側面部８を第１側面切取線13,14および第２側面切取線15に沿って切って側面切取可能部16を切り取る。容器本体２を反転させると内容物を引き抜くように取り出すことができる。内容物が自重により順次下方に移動する。側面切取可能部16とともに蓋体21の天面部22を一対の第１蓋体切取線26,27および第２蓋体切取線28に沿って切って天面切取可能部29を切り取る。内容物を取り出すための開口を大きくできる。内容物の種類に応じて使い捨て容器１の使用方法を選択できる。【選択図】図１
2008137712.tif 000002
【特許請求の範囲】
【請求項１】
幅方向と奥行き方向とを有する底面、この底面に対向する上側に位置した開口部、および前記幅方向と奥行き方向とのそれぞれに直交する高さ方向を有し前記開口部と前記底面との間に位置した側面を備えた容器本体と、
この容器本体の開口部に取り付けられた蓋体とを具備し、
前記容器本体の側面は、高さ方向および幅方向を有する前面部と、この前面部に対向して位置する後面部と、この後面部と前記前面部との間に位置し高さ方向および奥行き方向を有する一対の側面部とで形成され、
これら一対の側面部の少なくとも一方には、この側面部と前記前面部および後面部との境界部に位置し前記開口部の開口縁から前記底面側に向けて高さ方向に沿って設けられた一対の第１側面切取線と、これら一対の第１側面切取線の底面側の各端部に連続して奥行き方向に沿って設けられた第２側面切取線と、これら一対の第１側面切取線および第２側面切取線にて囲まれた側面切取可能部とが形成され、
前記蓋体は、一方側が前記後面部に接続され前記容器本体の開口部を閉塞する天面部と、この天面部の他方側に取り付けられ前記天面部で前記開口部を閉塞した状態で前記前面部の内側に位置する蓋体前面部とで形成され、
前記蓋体の天面部には、前記蓋体の天面部と蓋体前面部および後面部それぞれとの境界部に位置し一方の前記側面側の端部から他方の側面側に向けて幅方向に沿って設けられた一対の第１蓋体切取線と、これら一対の第１蓋体切取線の他方の側面側の各端部に連続して奥行き方向に沿って設けられた第２蓋体切取線と、これら一対の第１蓋体切取線および第２蓋体切取線にて囲まれた天面切取可能部とが形成されている
ことを特徴とした使い捨て容器。
【請求項２】
容器本体の一対の側面部の高さ方向の開口部側には、内側に向けて突出したフラップ部が奥行き方向に沿って形成され、
蓋体の天面部の天面切取可能部側の幅方向の縁部には、フラップ部の幅方向の長さより短い幅方向の長さの切り欠き部が形成されている
ことを特徴とした請求項１記載の使い捨て容器。
【請求項３】
蓋体の天面部の天面切取可能部側の幅方向の縁部には、前記天面切取可能部側の反対側に向けて折り返し可能な折り返し部が形成され、
この折り返し部を前記天面切取可能部側の反対側に向けて折り返すことによって切り欠き部が形成される
ことを特徴とした請求項１記載の使い捨て容器。
【請求項４】
容器本体の前面部の開口部側の縁部には、略Ｕ字状に切り取り可能で蓋体の蓋体前面部に接合された前面切取部が設けられている
ことを特徴とした請求項１ないし３いずれか記載の使い捨て容器。
【請求項５】
第２側面切取線は、高さ方向に向けて間隔を空けて並列に複数設けられている
ことを特徴とした請求項１ないし４いずれか記載の使い捨て容器。
【請求項６】
第２蓋体切取線は、幅方向に向けて間隔を開けて並例に複数設けられている
ことを特徴とした請求項１ないし５いずれか記載の使い捨て容器。
【発明の詳細な説明】
【技術分野】
【０００１】
本発明は、衛生材料などの内容物を包装する使い捨て容器に関する。
【背景技術】
【０００２】
従来、ガーゼや吸収性パッド等のシート状の使い捨ての衛生材料は、縦方向あるいは横方向に並べられた状態で容器内に収容されて封入されている。
【０００３】
そして、この種の衛生材料などの内容物を包装する使い捨て容器としては、容器本体に蓋体が取り付けられており、この蓋体を開閉させることによって容器本体から内容物を出し入れできるように構成されている。
【０００４】
また、この種の使い捨て容器としては、蓋体を閉めて内容物を保管する必要がない場合や、容器本体内の内容物をすぐに使い切ってしまう場合、個々の内容物がパッケージされている場合などの、蓋体を開閉する必要がないときには、内容物を封入させた容器本体の一部に設けられた切取線に沿って容器本体の一部を切り取ることによって、この容器本体から内容物を取り出し可能にする構成が知られている。
【０００５】
さらに、この種の使い捨て容器である紙器としては、厚紙主体に端面部、前側面部、端面部、後側面部および結合部のそれぞれが折線にて順次連接されている。そして、各端面部および前後の側面部の下縁に、折線にて底面部が延設され、これら各端面部の上縁に、折線にて外蓋部が延設されている。さらに、各側面部の少なくとも一方には枠状の切取線が設けられ、この切取線に連続する切取線が外蓋部の少なくとも一方に設けられている（例えば、特許文献１参照。）。
【特許文献１】実公昭５６−３４５９１号公報
【発明の開示】
【発明が解決しようとする課題】
【０００６】
しかしながら、上記のように蓋体を開閉して内容物を出し入れする容器では、蓋体で塵の混入を防止できるが、使用する毎に蓋体を開閉する必要があるから手間が掛かる。また、切取線に沿って容器本体の一部を切り取って内容物を取り出す容器では、一度開封した後に蓋を閉塞できないので、内容物の種類によっては適さない場合がある。
【０００７】
さらに、上記紙器では、連続して一体に形成されている前側面部および外蓋部に切取線が設けられていることから、これら前側面部および外蓋部の一方のみを切り取る際に、これら前側面部と外蓋部との間の切取線を切り取る必要があるので手間が掛かる。また、この切取線が側面部、外蓋部および端面部に設けられていないので、内容物の大きさが紙器の幅方向あるいは奥行き方向と略同一の大きさである場合に、この内容物を取り出しにくいから、使い勝手が余り良くないという問題を有している。
【０００８】
本発明は上記問題点に鑑みなされたもので、使い勝手の良い使い捨て容器を提供する。
【課題を解決するための手段】
【０００９】
請求項１記載の発明の使い捨て容器は、幅方向と奥行き方向とを有する底面、この底面に対向する上側に位置した開口部、および前記幅方向と奥行き方向とのそれぞれに直交する高さ方向を有し前記開口部と前記底面との間に位置した側面を備えた容器本体と、この容器本体の開口部に取り付けられた蓋体とを具備し、前記容器本体の側面は、高さ方向および幅方向を有する前面部と、この前面部に対向して位置する後面部と、この後面部と前記前面部との間に位置し高さ方向および奥行き方向を有する一対の側面部とで形成され、これら一対の側面部の少なくとも一方には、この側面部と前記前面部および後面部との境界部に位置し前記開口部の開口縁から前記底面側に向けて高さ方向に沿って設けられた一対の第１側面切取線と、これら一対の第１側面切取線の底面側の各端部に連続して奥行き方向に沿って設けられた第２側面切取線と、これら一対の第１側面切取線および第２側面切取線にて囲まれた側面切取可能部とが形成され、前記蓋体は、一方側が前記後面部に接続され前記容器本体の開口部を閉塞する天面部と、この天面部の他方側に取り付けられ前記天面部で前記開口部を閉塞した状態で前記前面部の内側に位置する蓋体前面部とで形成され、前記蓋体の天面部には、前記蓋体の天面部と蓋体前面部および後面部それぞれとの境界部に位置し一方の前記側面側の端部から他方の側面側に向けて幅方向に沿って設けられた一対の第１蓋体切取線と、これら一対の第１蓋体切取線の他方の側面側の各端部に連続して奥行き方向に沿って設けられた第２蓋体切取線と、これら一対の第１蓋体切取線および第２蓋体切取線にて囲まれた天面切取可能部とが形成されているものである。
【００１０】
請求項２記載の発明の使い捨て容器は、請求項１記載の使い捨て容器において、容器本体の一対の側面部の高さ方向の開口部側には、内側に向けて突出したフラップ部が奥行き方向に沿って形成され、蓋体の天面部の天面切取可能部側の幅方向の縁部には、フラップ部の幅方向の長さより短い幅方向の長さの切り欠き部が形成されているものである。
【００１１】
請求項３記載の発明の使い捨て容器は、請求項１記載の使い捨て容器において、蓋体の天面部の天面切取可能部側の幅方向の縁部には、前記天面切取可能部側の反対側に向けて折り返し可能な折り返し部が形成され、この折り返し部を前記天面切取可能部側の反対側に向けて折り返すことによって切り欠き部が形成されるものである。
【００１２】
請求項４記載の発明の使い捨て容器は、請求項１ないし３いずれか記載の使い捨て容器において、容器本体の前面部の開口部側の縁部には、略Ｕ字状に切り取り可能で蓋体の蓋体前面部に接合された前面切取部が設けられているものである。
【００１３】
請求項５記載の発明の使い捨て容器は、請求項１ないし４いずれか記載の使い捨て容器において、第２側面切取線は、高さ方向に向けて間隔を空けて並列に複数設けられているものである。
【００１４】
請求項６記載の発明の使い捨て容器は、請求項１ないし５いずれか記載の使い捨て容器において、第２蓋体切取線は、幅方向に向けて間隔を開けて並例に複数設けられているものである。
【発明の効果】
【００１５】
請求項１記載の使い捨て容器によれば、容器本体内に収容されている内容物を蓋体の開閉で出し入れできるとともに、この蓋体を開閉する必要がない場合は、側面切取可能部および天面切取可能部の少なくとも一方を切り取ることによって、この蓋体を開かなくても内容物を取り出すことができる。また、側面切取可能部と天面切取可能部とが一体的に連続していないので、これら側面切取可能部および天面切取可能部の各々を容易に切り取ることができる。さらに、これら側面切取可能部および天面切取可能部により容器本体の側面部および天面部を奥行き方向全体に亘って切り取られるから、容器本体の奥行き方向の大きさに略等しい大きさの内容物であっても取り出しやすいので、使い勝手が良い。
【００１６】
請求項２記載の使い捨て容器によれば、例えば指などを切り欠き部に入れることにより、天面切取可能部および側面切取可能部の少なくとも一方を容易に切り取ることができる。また、フラップ部によって切り欠き部が覆われて開口しないので、使用前に切り欠き部から異物などが混入することを防止できる。
【００１７】
請求項３記載の使い捨て容器によれば、例えば指などを切り欠き部に入れることにより、天面切取可能部および側面切取可能部の少なくとも一方を容易に切り取ることができる。また、切り欠き部を使用しない場合には、蓋体の天面部に切り欠きが形成されないので、異物などの混入を防止できる。
【００１８】
請求項４記載の使い捨て容器によれば、使用前に蓋体が勝手に開くことを防止できるとともに、前面切取部を切り取りながら蓋体を開けることができるので、容器本体を容易に開閉自在にできる。
【００１９】
請求項５記載の使い捨て容器によれば、例えば容器本体内に収容されている内容物が減った場合や、この内容物の大きさが大きい場合などに、側面切取可能部のいずれかを状況に応じて切り取ることができる。
【００２０】
請求項６記載の使い捨て容器によれば、例えば容器本体内に収容されている内容物が減った場合や、この内容物の大きさが大きい場合などに、天面切取可能部のいずれかを状況に応じて切り取ることができる。
【発明を実施するための最良の形態】
【００２１】
次に、本発明の使い捨て容器の第１の実施の形態の構成を、図１ないし図４を参照して説明する。
【００２２】
図１ないし図４において、１は使い捨て容器で、この使い捨て容器１は、少なくとも一部が切り欠き可能で、ガーゼあるいは吸収パッドなどの板状またはシート状の図示しない衛生材料や、これらガーゼあるいは吸収パッドを滅菌紙などで被覆したシート状の衛生材料を収容して封入させる容器である。そして、この使い捨て容器１の材質としては紙が好ましいが、その他の材質でも良く、衛生材料を使い捨て容器１ごと滅菌できオートクレーブ滅菌に絶えられる強度を有する厚さや材質のものが好ましい。
【００２３】
さらに、この使い捨て容器１は、組み立てた状態で、高さ方向Ａに長手方向を有する中空な直方体状の容器本体２を備えている。この容器本体２は、この容器本体２の下部に位置し高さ方向Ａにそれぞれ直交する幅方向Ｂおよび奥行き方向Ｃを有する正方形板状の底面３と、この底面３に対向する反対側である上側の容器本体２の上部に位置しこの容器本体２の上部を開口させる正方形状の開口部４と、この開口部４と底面３との間に位置し容器本体２の側部を形成する計４枚の長方形状の側面５とで構成されている。ここで、これら側面５は、幅方向Ｂと、この幅方向Ｂに直交する奥行き方向Ｃとのそれぞれに直交する高さ方向Ａをそれぞれ有している。
【００２４】
さらに、容器本体２の側面５は、高さ方向Ａおよび幅方向Ｂを有し容器本体２の前部を構成する前面部６と、高さ方向Ａおよび幅方向Ｂを有し前面部６に対向する側に位置して容器本体２の後部を構成する後面部７と、高さ方向Ａおよび奥行き方向Ｃを有し前面部６と後面部７との両側間に位置して容器本体２の側部を構成する一対の側面部８,９とで形成されている。ここで、これら前面部６、後面部７および側面部８のそれぞれは、高さ方向Ａに長手方向を有する互いに等しい大きさの長方形板状に形成されている。
【００２５】
また、容器本体２の一対の側面部８,９は、これら側面部８,９の奥行き方向Ｃの両側縁が前面部６および後面部７の幅方向Ｂの両側縁に連結されて接合されている。このことから、この容器本体２の底面３と、各側面５の前面部６、後面部７および側面部８,９とによって直方体状の内部空間Ｄが形成され、この内部空間Ｄがシート状の衛生材料を高さ方向Ａに沿って積層させて収容させる収容空間となる。
【００２６】
さらに、この容器本体２の一方の側面部８には、この側面部８と前面部６および後面部７との境界部である各折り曲げ部11,12に位置し、容器本体２の開口部４の開口縁から底面３側に向けて高さ方向Ａに沿って設けられた一対の第１側面切取線13,14と、これら一対の第１側面切取線13,14の底面３側の各端部に連続して奥行き方向Ｃに沿って設けられた第２側面切取線15とが形成されている。
【００２７】
また、一対の第１側面切取線13,14は、側面部８の奥行き方向Ｃの両側縁に沿って開口部４の開口縁から底面３側に向けて、この側面部８の高さ方向Ａの約５分の１ほどに亘って設けられている。そして、この一方の側面部８の一対の第１側面切取線13,14と第２側面切取線15とによって囲まれた領域は、この側面部８から切り取り可能な片状の側面切取可能部16となる。ここで、この側面切取可能部16は、一方の側面部８だけではなく、一対の側面部８,９のそれぞれに設けても良い。
【００２８】
さらに、容器本体２の一対の側面部８,９それぞれの高さ方向Ａの開口部４側の縁部には、内側に向けて突出した折込部としての片状の本体フラップ部17,18が、これら側面部８,９の奥行き方向Ｃに沿って形成されている。これら本体フラップ部17,18は、奥行き方向Ｃに沿った長手方向を有する細長略矩形板状に形成されており、容器本体２の各側面部８,９の上端縁に一体的に折り曲げられて形成されている。さらに、これら本体フラップ部17,18の奥行き方向Ｃの両側部は、基端側から先端側に向けて幅狭になるように傾斜して形成されている。
【００２９】
一方、容器本体２の開口部４には、この開口部４を開閉可能にさせる板状の蓋体21が一体的に取り付けられている。この蓋体21は、奥行き方向Ｃの一方側である後側が後面部７の高さ方向Ａの一端縁である上端縁に一体的に接続され容器本体２の開口部４を閉塞する正方形板状の天面部22と、この天面部22の奥行き方向Ｃの他方側である前側に取り付けられ天面部22で開口部４を閉塞した状態で前面部６の内側に挿入されこの前面部６の内側に対向して位置する蓋体前面部としての折込部である片状の蓋体フラップ部23とで形成されている。
【００３０】
ここで、天面部22は、この天面部22の奥行き方向Ｃの後端が後面部７の上端縁に一体的に折り曲げられて形成されている。また、蓋体フラップ部23は、天面部22の奥行き方向Ｃの前端縁に一体的に折り曲げられて形成されており、この天面部22の前端縁の幅方向Ｂに亘って形成されている。さらに、この蓋体フラップ部23は、幅方向Ｂに沿った長手方向を有する細長略矩形板状に形成され、この蓋体フラップ部23の幅方向Ｂの両側部が基端側から先端側に向けて幅狭になるように傾斜して形成されている。
【００３１】
そして、蓋体21の天面部22には、この天面部22と蓋体フラップ部23および後面部７それぞれとの境界部である各折り曲げ部24,25に位置し一方の側面部８側の端部から他方の側面部９側に向けて幅方向Ｂに沿って設けられた一対の第１蓋体切取線26,27と、これら一対の第１蓋体切取線26,27の他方の側面部９側の各端部に連続して奥行き方向Ｃに沿って設けられた第２蓋体切取線28とが形成されている。
【００３２】
また、一対の第１蓋体切取線26,27は、天面部22の奥行き方向Ｃの両側縁に沿って一方の側面部８側の端部から他方の側面部９側に向けて、この天面部22の幅方向Ｂの約３分の１ほどに亘って設けられている。すなわち、これら一対の第１蓋体切取線26,27は、容器本体２の幅方向Ｂの長さが本体フラップ部17の幅方向Ｂの長さより長く形成されている。そして、この天面部22の一対の第１蓋体切取線26,27と第２蓋体切取線28とによって囲まれた領域は、この天面部22から切り取り可能な片状の天面切取可能部29となる。ここで、この天面切取可能部29は、天面部22の一方の側面部８側だけではなく、この天面部22の一対の側面部８,９側のそれぞれに設けても良い。
【００３３】
なお、第１側面切取線13,14、第２側面切取線15、第１蓋体切取線26,27および第２蓋体切取線28としては、側面切取可能部16および天面切取可能部29を切り取りできる切り込み、ミシン目あるいは凹状形状などであっても良い。
【００３４】
次に、上記第１実施の形態の使い捨て容器の作用を説明する。
【００３５】
まず、図２に示すように、使い捨て容器１の容器本体２の蓋体21を開閉させることにより、この容器本体２内に収容されているシート状の衛生材料の出し入れが可能となる。
【００３６】
さらに、この容器本体２の蓋体21を開閉する必要がなく、この容器本体２内のシート状の衛生材料を上から順次取り出す場合には、図３に示すように、容器本体２の一方の側面部８を一対の第１側面切取線13,14および第２側面切取線15に沿って切って、この側面部８の上部の側面切取可能部16を切り取る。
【００３７】
この場合に、この容器本体２の高さ方向Ａである上下を反転させて、この容器本体２の底面３が上方に位置するように設置することにより、この容器本体２の側面切取可能部16が下方に位置するので、この容器本体２内からシート状の衛生材料を引き抜くように取り出すことができ、このシート状の衛生材料が自重により容器本体２内で順次下方に移動するようにできる。
【００３８】
さらに、図４に示すように、容器本体２の側面切取可能部16とともに、蓋体21の天面部22を一対の第１蓋体切取線26,27および第２蓋体切取線28に沿って切って、この蓋体21の天面部22の天面切取可能部29を切り取る。
【００３９】
この場合は、容器本体２の側面切取可能部16のみを切り取った場合に比べ、この容器本体２に形成されるシート状の衛生材料を取り出すための開口部の大きさを大きくできるので、この容器本体２内からシート状の衛生材料を取り出しやすくできる。
【００４０】
したがって、容器本体２の側面切取可能部16および蓋体21の天面切取可能部29の少なくとも一方を切り取ることによって、この容器本体２の蓋体21を開かなくても、この容器本体２内のシート状の衛生材料を取り出すことができる。
【００４１】
また、この容器本体２の側面部８に側面切取可能部16を設け、蓋体21の天面部22に天面切取可能部29を設けたことにより、これら側面切取可能部16と天面切取可能部29とが一体的に連続していないから、これら側面切取可能部16および天面切取可能部29の各々を容易に独立して切り取ることができる。
【００４２】
さらに、これら側面切取可能部16および天面切取可能部29を切り取ることにより、容器本体２の一方の側面部８および天面部22を奥行き方向Ｃの全体に亘って切り取ることができるので、この容器本体２内のシート状の衛生材料の大きさが、この容器本体２の奥行き方向Ｃの大きさに略等しい大きさであっても取り出しやすいので、使い捨て容器１の使い勝手を向上できる。
【００４３】
以上から、容器本体２内の内容物の種類に応じて、使い捨て容器１の使用方法を選ぶことができるとともに、この使い捨て容器１の容器本体２の一部を容易に切り取ることができるから、この容器本体２内の内容物を取り出しやすい使い捨て容器１にできる。
【００４４】
なお、図５に示す第２の実施の形態のように、容器本体２の側面切取可能部16の一対の第１側面切取線13,14を同じ長さではなく、これら一対の第１側面切取線13,14の長さを変えて、一方の第１側面切取線14の長さを他方の第１側面切取線13の長さより長くすることもできる。この場合、これら一対の第１側面切取線13,14の底面３側の各端部に連続した第２側面切取線15が、容器本体２の高さ方向Ａおよび奥行き方向Ｃのそれぞれに対して傾斜した状態となるから、この容器本体２内のシート状の衛生材料をより取り出しやすくできる。同様に、この容器本体２の天面切取可能部29の一対の第１蓋体切取線26,27の長さを変えて、第２蓋体切取線28を傾斜させた状態にすることもできる。
【００４５】
さらに、図６に示す第３の実施の形態のように、容器本体２の第２側面切取線15を直線状ではなく、曲線状に湾曲させて凹弧状にすることもできる。この場合も、蓋体21の天面部22の天面切取可能部29の第２蓋体切取線28を凹弧状に湾曲させることもできる。
【００４６】
また、図７ないし図９に示す第４の実施の形態のように、使い捨て容器１の蓋体21の天面部22の天面切取可能部29が形成されている側の幅方向Ｂの縁部に凹弧状の切り欠き部31を形成することもできる。この切り欠き部31は、図９に示すように、この切り欠き部31の幅方向Ｂの長さａが、容器本体２の開口部４の幅方向Ｂの縁部に設けられている本体フラップ部17の幅方向Ｂの長さｂより短く形成されている。さらに、この切り欠き部31は、蓋体21の天面部22の奥行き方向Ｃの長さより短い長さに形成されており、容器本体２の奥行き方向Ｃの後面部７寄りの位置に設けられている。また、この切り欠き部31の奥行き方向Ｃの長さは、使用者の指先が１、２本程度入る程度の長さが好ましい。
【００４７】
ここで、この切り欠き部31の位置や個数は任意であるが、天面切取可能部29の切り取りやすさの観点から、この切り欠き部31が一つの場合には、蓋体21の天面部22と後面部７との境界側に位置する第１蓋体切取線27の近傍に設けられていることが好ましい。さらに、この切り欠き部31を複数設ける場合には、例えば一対の第１蓋体切取線26,27近傍の位置に１つずつ設けたり、これら２個の間の幅方向の中央部に１個設けて、計３個ほど設けたりすることなどが考えられる。
【００４８】
この結果、この切り欠き部31に指先を入れて引っ張ることにより、容器本体２の側面切取可能部16を容易に切り取ることができるとともに、この側面切取可能部16とともに本体フラップ部17を一緒に切り取ることができるから、この本体フラップ部17に切取線を設ける必要を無くすことができる。さらに、切り欠き部31が本体フラップ部17にて覆われていることから容器本体２を開口させないので、この切り欠き部31を使用する前の状態でも、この切り欠き部31からの容器本体２内への塵などの異物の混入を防止できる。
【００４９】
なお、この切り欠き部31を蓋体21の天面部22の天面切取可能部29に設けたが、この切り欠き部31を容器本体２の側面切取可能部16に設けたり、これら天面切取可能部29および側面切取可能部16のそれぞれに設けたりすることもできる。
【００５０】
さらに、図１０および図１１に示す第５の実施の形態のように、使い捨て容器１の蓋体21の天面部22の天面切取可能部29側の幅方向Ｂの縁部に、この天面切取可能部29が設けられている側の反対側に向けて折り返し可能な折り返し部32を形成することもできる。この折り返し部32は、蓋体21の天面部22の幅方向Ｂの天面切取可能部29が設けられている側の縁部の奥行き方向Ｃの両側部のそれぞれに対をなして計２個ほど設けられている。
【００５１】
また、これら折り返し部32は、両側部が先端側から基端側に向けて縮径したテーパ状の平面視矩形状に形成されている。そして、これら折り返し部32は、これら折り返し部32を天面切取可能部29が設けられている側の反対側に向けて約９０゜ほど折り返すことによって、切り欠き部31が形成されるとともに、図１１に示すように、容器本体２を反転させた状態で側面切取可能部16側を反対側よりも起立させる脚部となる。
【００５２】
よって、容器本体２の側面切取可能部16を切り取るととともに、蓋体21の各折り返し部32を上方に向けて約９０゜ほど折り返した状態で、容器本体２の底面３が上方に位置するように高さ方向Ａを反転させて使用することにより、図１１に示すように、これら折り返した折り返し部32が脚部となって容器本体２の側面切取可能部16側が上方に向けて斜めに傾いた状態となり、この容器本体２からシート状の衛生材料を取り出しやすくできるから、使い捨て容器１をより使いやすくできる。また、この折り返し部32を使用しない場合には、蓋体21の天面部22に切り欠き部31が形成されないから、この蓋体21からの異物などの容器本体２内への混入を防止できる。
【００５３】
さらに、図１２および図１３に示す第６の実施の形態のように、容器本体２の前面部６の開口部４側の縁部に、この縁部を略Ｕ字状に切取り可能な前面切取部33を形成することもできる。この前面切取部33は、容器本体２の前面部６の開口部４側に向けて拡開した略Ｕ字状に形成されており、この前面切取部33の裏面側が蓋体21の蓋体フラップ部23に接着されて接合されている。さらに、この前面切取部33は、第２蓋体切取線28を横切らず交差しない位置、具体的には容器本体２の前面部６の幅方向Ｂの中央部に設けられている。また、この前面切取部33は、この前面切取部33の高さ方向Ａの長さが、蓋体21の蓋体フラップ部23の高さ方向Ａの長さより小さく形成されている。
【００５４】
この結果、図１３に示すように、前面切取部33を切り取らなければ蓋体21を開くことができないので、使用前に蓋体21が勝手に開くことを防止できるとともに、前面切取部33を切り取りながら蓋体21を開けることができるので、容器本体２を容易かつ確実に開閉自在にできる。また、容器本体２の側面切取可能部16や蓋体21の天面切取可能部29を切り取って容器本体２内のシート状の衛生材料を取り出す場合においても、容器本体２内の衛生材料が残り少なくなった時などに、蓋体21を開くことによって、残りの衛生材料を取り出しやすくできる。
【００５５】
また、図１４に示す第７の実施の形態のように、容器本体２の側面切取可能部16および蓋体21の天面切取可能部29のそれぞれを、これら容器本体２の一方の側面部８および蓋体21の天面部22のそれぞれに複数段に亘って設けることもできる。この場合、側面切取可能部16は、一方の側面部８の高さ方向Ａに沿って、この一方の側面部８の開口部４側から底面３側に向けて連続して、例えば３個ほど並例に設されている。すなわち、これら側面切取可能部16の各第２側面切取線15は、容器本体２の高さ方向Ａに向けて所定の間隔を空けて並列に設けられている。
【００５６】
また、天面切取可能部29もまた、天面部22の幅方向Ｂに沿って、この天面部22の一方の側面部８側から他方の側面部９側に向けて連続して、例えば２個ほど並設されている。すなわち、これら天面切取可能部29の各第２蓋体切取線28は、容器本体２の幅方向Ｂに向けて所定の間隔を空けて並列に設けられている。
【００５７】
さらに、これら各側面切取可能部16の第２側面切取線15は、奥行き方向Ｃの両側部である接合部が各第１側面切取線13,14側に向けて円弧状に湾曲した形状に形成されている。さらに、天面切取可能部29の第２蓋体切取線28もまた、奥行き方向Ｃの両側部である接合部が各第１蓋体切取線26,27側に向けて円弧状に湾曲した形状に形成されている。
【００５８】
この結果、容器本体２内のシート状の衛生材料がある程度減った場合や、この衛生材料の大きさが大きい場合などに、状況に応じて側面切取可能部16や天面切取可能部29を複数個切り取ることにより、残りの衛生材料を取り出しやすくできるとともに、大きな衛生材料を取り出しやすくできるから、使い捨て容器１の使い勝手をより向上できる。
【００５９】
また、これら側面切取可能部16および天面切取可能部29のそれぞれの両側部を円弧状に湾曲させた形状としたことにより、これら側面切取可能部16あるいは天面切取可能部29を第１側面切取線13,14あるいは第１蓋体切取線26,27に沿って切断しようとした際に、誤ってこれら側面切取可能部16あるいは天面切取可能部29の下方にまで切断してしまう可能性を防止できる。よって、これら側面切取可能部16あるいは天面切取可能部29を切り取りやすくできる。さらに、これら側面切取可能部16および天面切取可能部29のいずれかのみを複数設けることも可能である。
【図面の簡単な説明】
【００６０】
【図１】本発明の第１の実施の形態を示す使い捨て容器の斜視図である。
【図２】図１の使い捨て容器の蓋体を開いた状態を示す斜視図である。
【図３】図１の使い捨て容器の側面切取可能部を切り取った状態を示す斜視図である。
【図４】図１の使い捨て容器の側面切取可能部および天面切取可能部を切り取った状態を示す斜視図である。
【図５】本発明の第２の実施の形態を示す使い捨て容器を示す斜視図である。
【図６】本発明の第３の実施の形態を示す使い捨て容器を示す斜視図である。
【図７】本発明の第４の実施の形態を示す使い捨て容器を示す斜視図である。
【図８】図７の使い捨て容器の蓋体を開いた状態を示す斜視図である。
【図９】図７の使い捨て容器を示す平面図である。
【図１０】本発明の第５の実施の形態を示す使い捨て容器の斜視図である。
【図１１】図１０の使い捨て容器の折り返し部を折り返して反転させた状態を示す側面図である。
【図１２】本発明の第６の実施の形態を示す使い捨て容器の斜視図である。
【図１３】図１２の使い捨て容器の蓋体を開いた状態を示す斜視図である。
【図１４】本発明の第７の実施の形態を示す使い捨て容器の斜視図である。
【符号の説明】
【００６１】
１    使い捨て容器
２    容器本体
３    底面
４    開口部
５    側面
６    前面部
７    後面部
８,９    側面部
13,14    第１側面切取線
15    第２側面切取線
16    側面切取可能部
17,18    フラップ部としての本体フラップ部
21    蓋体
22    天面部
23    蓋体前面部としての蓋体フラップ部
26,27    第１蓋体切取線
28    第２蓋体切取線
29    天面切取可能部
31    切り欠き部
32    折り返し部
33    前面切取部
Ａ    高さ方向
Ｂ    幅方向
Ｃ    奥行き方向
【図１】
2008137712.tif 000003
【図２】
2008137712.tif 000004
【図３】
2008137712.tif 000005
【図４】
2008137712.tif 000006
【図５】
2008137712.tif 000007
【図６】
2008137712.tif 000008
【図７】
2008137712.tif 000009
【図８】
2008137712.tif 000010
【図９】
2008137712.tif 000011
【図１０】
2008137712.tif 000012
【図１１】
2008137712.tif 000013
【図１２】
2008137712.tif 000014
【図１３】
2008137712.tif 000015
【図１４】
2008137712.tif 000016